(57)【特許請求の範囲】
【請求項１】
演出を起動する起動部を備える副玩具体と、
前記副玩具体の着脱が可能な装着部を備える主玩具体と、を備え、
前記主玩具体は、前記装着部に対して出没可能に構成された、前記起動部を押圧し動作させるための動作部と、前記動作部よりも突出高さが低く設けられ且つ前記装着部に対して出没可能に構成された連動部と、を含み、
前記連動部と前記動作部は、前記連動部の前記装着部からの退避と連動して、前記動作部が前記装着部から退避するよう構成され、
前記動作部と前記連動部は、初期位置に戻るように付勢部材にて付勢されている、
演出出力玩具。
【請求項２】
請求項１に記載の演出出力玩具であって、
前記主玩具体は、前記動作部の初期位置への戻りを規制するロック部を備える、
演出出力玩具。
【請求項３】
請求項２に記載の演出出力玩具であって、
前記ロック部は、初期位置に戻るように付勢部材にて付勢されている、
演出出力玩具。
【請求項４】
請求項２又は３に記載の演出出力玩具であって、
前記ロック部は、前記副玩具体に係合して前記副玩具体の厚み方向に移動して、前記動作部の戻りを規制する、
演出出力玩具。
【請求項５】
請求項２又は３に記載の演出出力玩具であって、
前記ロック部は、前記副玩具体に係合して前記副玩具体の幅方向に移動して、前記動作部の戻りを規制する、
演出出力玩具。
【請求項６】
請求項１〜５の何れか一項に記載の演出出力玩具であって、
前記動作部と前記連動部は、回動可能な支軸部を支点にして揺動する連動アームに設けられ、
前記連動部の前記支軸部からの距離は、前記動作部の前記支軸部からの距離よりも小さく構成されている、
演出出力玩具。
【請求項７】
請求項２〜５の何れか一項に記載の演出出力玩具であって、
前記動作部と前記連動部は、回動可能な支軸部を支点にして揺動する連動アームに設けられ、
前記主玩具体から露出する前記ロック部は、前記主玩具体の内部に移動可能に配置されたロック部材の一端として設けられ、
前記ロック部材の他端には、前記連動アームを係止可能な係止部が設けられている、
演出出力玩具。
【請求項８】
請求項１〜７の何れか一項に記載の演出出力玩具であって、
前記主玩具体は、前記装着部の他に、前記副玩具体を装着する別の装着部を備える、
演出出力玩具。
【発明の詳細な説明】
【技術分野】
【０００１】
本発明は、演出出力玩具に関する。
【背景技術】
【０００２】
従来、演出出力玩具には所定の操作に基づいて音等を発生するものが知られている（例えば特許文献１参照）。特許文献１に記載された演出出力玩具は、タグリーダ部と、動作出力部と、記憶部と、制御部と蓋部等を備える筐体部と、この筐体部とは別体でＩＣタグを備える別部材と、等を備える。そして、筐体部のタグリーダ部に対してＩＣタグを備える別部材を近づけてＩＣタグの情報を読み込むことで発音可能に構成された発音玩具である。
【先行技術文献】
【特許文献】
【０００３】
【特許文献１】特開２０１９−１４６７８４号公報
【発明の概要】
【発明が解決しようとする課題】
【０００４】
特許文献１においては、二つの別部材を接近させることでＩＣタグの情報を読み取る構成である。このように別部材を近づけたり装着したりボタン操作をして所定の演出を開始する演出出力玩具においては、玩具の演出出力制御は、多くの場合、電子制御にて行われる。しかしながら、この種の演出出力玩具では、特定の演出が、所定電子制御のルーティンで繰り返し行われ、操作者の意に沿わない演出がされてしまうという問題があった。このような問題をソフト開発で解決しようとすると、ソフト開発に多くの時間を必要するだけでなく、誤動作のリスクも残されるため、この種の課題を電子制御に頼らず解決できる興趣性の高い演出出力玩具が切望されていた。
【０００５】
本発明は、演出出力の制御が確実で興趣性の高い演出出力玩具を提供することを目的とする。
【課題を解決するための手段】
【０００６】
本発明に係る演出出力玩具は、演出を起動する起動部を備える副玩具体と、前記副玩具体の着脱が可能な主玩具体と、を備え、前記主玩具体は、前記副玩具体の装着部に対して出没可能に構成された、前記起動部を押圧し動作させるための動作部と、前記動作部よりも突出高さが低く設けられ且つ前記装着部に対して出没可能に構成された連動部と、を含み、前記連動部と前記動作部は、前記連動部の前記装着部からの退避と連動して、前記動作部が前記装着部から退避するよう構成されている。また、本発明に係る演出出力玩具は、演出を起動する起動部を備える副玩具体と、前記副玩具体の着脱が可能な装着部を備える主玩具体と、を備え、前記主玩具体は、前記装着部に対して出没可能に構成された、前記起動部を押圧し動作させるための動作部と、前記動作部よりも突出高さが低く設けられ且つ前記装着部に対して出没可能に構成された連動部と、を含み、前記連動部と前記動作部は、前記連動部の前記装着部からの退避と連動して、前記動作部が前記装着部から退避するよう構成され、前記動作部と前記連動部は、初期位置に戻るように付勢部材にて付勢されている。
【０００７】
また、本発明に係る演出出力玩具においては、前記動作部と前記連動部は、初期位置に戻るように付勢部材にて付勢されている、ようにしてもよい。
【０００８】
また、本発明に係る演出出力玩具においては、前記動作部の初期位置への戻りを規制するロック部を備える、ようにしてもよい。
【０００９】
また、本発明に係る演出出力玩具においては、前記ロック部は、初期位置に戻るように付勢部材にて付勢されている、ようにしてもよい。
【００１０】
また、本発明に係る演出出力玩具においては、前記ロック部は、前記副玩具体に係合して前記副玩具体の厚み方向に移動して、前記動作部の戻りを規制する、ようにしてもよい。
【００１１】
また、本発明に係る演出出力玩具においては、前記ロック部は、前記副玩具体に係合して前記副玩具体の幅方向に移動して、前記動作部の戻りを規制する、ようにしてもよい。
【００１２】
また、本発明に係る演出出力玩具においては、前記動作部と前記連動部は、回動可能な支軸部を支点にして揺動する連動アームに設けられ、前記連動部の前記支軸部からの距離は、前記動作部の前記支軸部からの距離よりも小さく構成されている、ようにしてもよい。
【００１３】
また、本発明に係る演出出力玩具においては、前記動作部と前記連動部は、回動可能な支軸部を支点にして揺動する連動アームに設けられ、前記主玩具体から露出する前記ロック部は、前記主玩具体の内部に移動可能に配置されたロック部材の一端として設けられ、前記ロック部材の他端には、前記連動アームを係止可能な係止部が設けられている、ようにしてもよい。
【００１４】
また、本発明に係る演出出力玩具においては、前記主玩具体は、前記装着部の他に、前記副玩具体を装着する別の装着部を備える、ようにしてもよい。
【発明の効果】
【００１５】
本発明によれば、演出制御の正確性に優れ興趣性の高い演出出力玩具を提供することができる。
【図面の簡単な説明】
【００１６】
【図１】本発明の演出出力玩具の第１実施形態の斜視図である。
【図２】図１に示す演出出力玩具における主玩具体を右側面方向から見た斜視図である。
【図３】図１に示す演出出力玩具における主玩具体を左側面方向から見た斜視図である。
【図４】図１に示す演出出力玩具における副玩具体の斜視図である。
【図５】図４に示す副玩具体の底面を示す底面図である。
【図６】図１に示す演出出力玩具における副玩具体の装着部の内部構造を示すように一部を破断した要部破断側面図である。
【図７】図６に示す副玩具体の装着部の内部構造を示す分解斜視図である。
【図８】図７に示すリンク機構の動作初段の状態を示す分解斜視図である。
【図９】図７に示すリンク機構の動作中段の状態を示す分解斜視図である。
【図１０】図７に示すリンク機構の動作終段の副玩具体が装着された状態を示す分解斜視図である。
【図１１】図１０に示す副玩具体を取り外すときの動作初段の状態を示す分解側面図である。
【図１２】本発明の第２実施形態の演出出力玩具を下側から見た斜視図である。
【図１３】図１２に示す主玩具体の左側面方向から見た斜視図である。
【図１４】図１３に示す主玩具体を玩具下側から見た時の底面図である。
【図１５】第２実施形態における副玩具体の装着部の内部構造を示すように一部を破断した要部破断側面図である。
【図１６】図１４に示す副玩具体の装着部の内部構造を示す分解斜視図である。
【図１７】図１４に示す装着部において、副玩具体の装着前の状態を示す分解斜視図である。
【図１８】図１４に示す装着部において、副玩具体の装着後の状態を示す分解斜視図である。
【発明を実施するための形態】
【００１７】
（第１実施形態）
以下、本発明の第１実施形態の演出出力玩具１について、図１〜図１１を参照して説明する。
図１は、第１実施形態の演出出力玩具１の全体を示す斜視図である。
【００１８】
図１に示すように、演出出力玩具１は、その構成を大別すると、握り部１２及び刃部１１を有する剣の形状を模った主玩具体１０（以下、「剣１０」と云う）と、識別情報を有する矩形状のブックを模った副玩具体３０（以下、「ブック３０」と云う）と、を含む構成である。演出出力玩具１は、例えば戦うヒーローが使用する剣を模った主玩具体１０にブック３０を装着して遊ぶものである。ブック３０の装着部としては、例えば、剣１０の上部側の第1装着部２２（図４参照）と、別の装着部として、剣１０の左側面（剣１０を持って剣先を前方に向けたときの状態における左右）の第２装着部２３（図５参照）と、にブック３０を着脱して遊ぶことが可能な玩具である。
【００１９】
なお、以下の説明において、演出出力玩具１の構成要素の向きを説明する際には、基本的には、ユーザーが剣１０の握り部１２を手で持ち、剣先を前方に向け且つ刃部１１（両刃タイプの場合は操作トリガーを下にした状態）を上下にして構えた状態において、ユーザーから剣１０を見た場合の方向を云う。例えば、上下方向については、上方向、下方向或いは上部側、下部側と云い、左右方向については、左方向、右方向或いは左側面、右側面、さらには剣厚み方向とも云う。また、前後方向については、剣前方、剣後方、或いは前方側、後方側、さらには剣の先端側、先端方向ともいう。また、ブック３０の方向については、ブック形状が直方体であることから、直方体の３辺のうち、最長の長さの辺の向きを縦或いは縦方向、中間の長さ辺の向きを幅方向、最短の辺の向きを厚み方向と云う。
【００２０】
図２は、ブック３０の斜視図であり、図３は、ブック３０の底面を示す底面図である。
図２に示すように、ブック３０は、本体部３０ｂと、本体部３０ｂに対して開閉軸３０ｓｆを有するヒンジ部３０ｈを介して開閉動可能な開閉部３０ａと、を備えている。この開閉部３０ａは、本体部３０ｂとの間に配置されたトーションばね３８ｔによって、その回動方向に付勢されている。例えば、第２起動ボタン３８ｆを操作することで、自動的に開く、見開きが可能な本の形を模した略直方体の形状に構成されている。また、開閉軸３０ｓｆが設けられた側とは反対側の端面には、この端面の長手方向に沿い且つブック３０の底面３０ｂｂ側に開口する縦溝３０ｇが設けられている。
【００２１】
また、ブック３０は、開閉部３０ａが開いた時には開きページが現れる。この開きページには、例えば、所定のキャラクターや特別な情報の画像を表することができる。また、ブック３０内には、そのブック固有の識別情報が記録されたＩＣダグが内蔵されている。
【００２２】
図３に示すように、ブック３０の本体部３０ｂの底面３０ｂｂには、ブック３０の演出を起動する起動ボタン（起動部）として、例えば、音声ボタンである第１起動ボタン３６ｂ及び第３起動ボタン３７と、開閉部３０ａの開き動作を行う第２起動ボタン３８ｆが設けられている。要するに、第１起動ボタン３６ｂ及び第３起動ボタン３７は、ブック内の所定の情報に基づいた音声を出力する。また、第２起動ボタン３８ｆは、押されることで、開閉部３０ａが自動的に開くように構成されている。
【００２３】
図４は、演出出力玩具１における剣１０を右側面方向から見た斜視図であり、図５は、剣１０を左側面方向から見た斜視図である。
図４及び図５に示すように、剣１０は、例えば、片刃タイプの刃部１１と、握り部１２と、ブック３０の装着部として前掲したように第１装着部２２及び第２装着部２３と、有する構造である。この剣１０は、内部にブック３０の情報を、検出可能な不図示の検出部、電源及び制御部を備えている。ブック３０が第２装着部２３に装着されたときには、検出部によって、ブック３０が持っている識別情報を読み取ることができる。なお、ブック３０が第１装着部２２に装着されたときには、ブック３０の識別情報を読み取らない場合の遊び方をする。
【００２４】
剣１０は、その外部には、操作する部分として、電源スイッチ及び操作トリガー１６が設けられている。操作トリガー１６は、握り部１２を握った状態のままで指先にて操作可能なように、握り部１２の前方側に設けられている。
【００２５】
音出力部は、その設置については特に制限されるものでないが、例えば、刃部１１の最も幅の広い部位等に配置されている。また、光出力部は、例えば、刃部１１の適所にＬＥＤ等の光源を配置して剣１０が光る演出をすることができる。
【００２６】
第１装着部２２は、図４に示すように、剣１０の握り部１２と刃部１１との間の剣上部側（剣１０を持った場合の上部側）に設けられ、ブック３０を剣１０の上部側に縦長に立てる（図１参照）ように構成されている。第１装着部２２には、第１装着部２２を画成する壁面から出没可能な、例えば３つの突起が設けられている。このうち２つの突起は、底壁面２２ｂに設けられ、他の１つの突起は、剣１０の先端側に向いた側壁面２２ｗに設けられている。
【００２７】
底壁面２２ｂに設けられた突起は、ブック３０の第３起動ボタン３７を押圧可能なボタン動作突起（動作部）６１、ボタン動作突起６１と連動する連動突起（連動部）６２である。このボタン動作突起６１及び連動突起６２は、後述するボタン操作部材６０の一部として構成されており、底壁面２２ｂから出没可能に設けられている。要するに、連動突起６２とボタン動作突起６１とは、詳細は後述するが一体的な構成となっており、ブック３０が装着されブック３０に押されたときに、両突起６１，６２は、底壁面２２ｂの内側に退避（移動）可能に構成されている。ここで、ボタン動作突起６１と連動突起６２の底壁面２２ｂからの突出高さは、詳細については後述するが、連動突起６２の方が低く設けられている。
【００２８】
また、剣１０の先端側に向かって突出する第３の突起は、ブック３０が第１装着部２２に装着されたときに、ブック３０の幅方向の一端面に係合する。すなわち、第３の突起は、ブック３０の外面に係合することで、側壁面２２ｗから引っ込むように移動し、この移動を利用して、ボタン操作部材６０の動きを係止するロック部材７０のロック突起（ロック部）７１として形成されている。
【００２９】
第２装着部２３は、図５に示すように、ブック３０を剣１０の左側面に縦向きに装着する構成である。第２装着部２３に装着されたブック３０は、例えば、最初の操作トリガー１６の操作によって、図示しないリンク機構によって、第２装着部２３に露出するボタン動作部（動作部）４６，４８により操作される。ボタン動作部４６，４８は、ブック３０の第１起動ボタン（起動部）３６ｂ及び第２起動ボタン（起動部）３８ｆを押圧し、ブック３０による音声出力と同時に、ブック３０の開閉部３０ａを開くことができる。また、第２装着部２３にブック３０が装着された場合には、ブック３０の識別情報が読み取られ、操作トリガー１６の操作で所定の演出ができる。また、装着されたブック３０は、操作トリガー１６の一回目の操作によって、ブック３０による演出が可能であるが、二回目以降の操作では、図示しない機構によりボタン動作部４６，４８はロック状態となり、ブック３０の不要な繰り返しの演出は回避され、剣１０側の演出のみになる。なお、ボタン動作部４６，４８のロック状態は、ロック解除パーツ５０Ｒを押すことで解除することができる。
【００３０】
以下、ボタン操作部材６０及びロック部材７０の構成について図６及び図７を参照して説明する。
図６は、演出出力玩具１における第１装着部２２の内部構造を示すために剣１０の一部破断した要部破断側面図である。図７は、第１装着部２２の内部構造を示す分解斜視図である。
【００３１】
図６に示すように、剣１０において、第１装着部２２の内側（図中において下側及び左側）には、ボタン動作突起（動作部）６１と連動突起（連動部）６２を備えるボタン操作部材６０、及びロック突起（ロック部）７１を備えるロック部材７０が設けられている。
ボタン操作部材６０は、回転軸心Ｃ６を中心に回動可能な支軸部６０ｃから回転半径方向で剣後方に延びる連動アーム６０ａを備え、この連動アーム６０ａには回転方向に沿って剣１０上方向に延びるボタン動作突起６１と連動突起６２とが設けられている。連動突起６２は、連動アーム６０ａの延出方向の中段位置に形成され、ボタン動作突起６１は、連動アーム６０ａの先端位置に形成されている。要するに、連動突起６２の支軸部６０ｃからの距離は、ボタン動作突起６１の支軸部６０ｃからの距離よりも小さく構成されている。また、ボタン動作突起６１とは反対に剣１０の下方向（図中において下方向）には、ロック部材７０と係合可能な係合アーム６３が延出されている。なお、図７に示すように、底壁面２２ｂには、ボタン動作突起６１及び連動突起６２の貫通を許容する２つの開口２２ｈが設けられている。
【００３２】
図７に示すように、係合アーム６３は、その先端側において剣１０の厚み方向に凹む凹部６３ｃを備えている。この凹部６３ｃは、ロック部材７０の係止部７３と係合することができる。また、連動アーム６０ａには、係合アーム６３と並列に配置された付勢部材である圧縮ばねＰ４が図中下側から当接している。これにより、ボタン操作部材６０は、ボタン動作突起６１と連動突起６２とが開口２２ｈから露出する位置（初期位置）に戻る方向に常時付勢されている。したがって、ブック３０を装着するときには、ボタン動作突起６１及び連動突起６２がブック３０に当接する。また、連動アーム６０ａには、連動突起６２の延出側とは反対側に、剣１０の厚み方向の左方向に延びるスイッチ押圧部６４が設けられている。このスイッチ押圧部６４は、スイッチ押圧部６４に対面して設置されたラバーコンタクトスイッチ１０ｓｉを押圧操作することができる。なお、ラバーコンタクトスイッチ（起動部）１０ｓｉは、剣１０側の音演出や光演出のスイッチとして機能する。
【００３３】
ロック部材７０は、剣１０の前後方向に延びるスライド部７０ｃと、スライド部７０ｃの一端側から剣１０の上方向に向かって延びるロックアーム部７０ｂと、を備え側面視で例えば略Ｌ字形状に構成されている。また、ロック部材７０は、剣１０の前後方向、すなわち、スライド部７０ｃに沿う方向に移動可能に保持されている。スライド部７０ｃの先端寄りの位置には、剣１０の厚み方向の右方向へ突出して係合アーム６３と係合し、連動アーム６０ａの移動を係止する係止部７３が設けられている。ロックアーム部７０ｂの先端には、剣１０の先端側に向かって突出するロック突起７１が設けられている。
【００３４】
ロック突起７１は、その先端面７１ｅ及び先端テーパ面７１ｔが側壁面２２ｗから露出可能に構成されている。また、ロック突起７１は、その厚みが側壁面２２ｗの幅（剣１０の左右方向の幅）に近い幅を有している。
【００３５】
また、スライド部７０ｃに設けられた長孔７０ｈ内には、付勢部材である圧縮ばねＰ５が設けられている。この圧縮ばねＰ５は、その一端側（図中右側）がスライド部７０ｃを押圧するように設置されている。したがって、ロック部材７０は、圧縮ばねＰ５によって剣１０の先端方向に向かって常時付勢されている。この結果、ロック突起７１は、ブック３０が取り外されたときに、先端面７１ｅ及び先端テーパ面７１ｔが側壁面２２ｗから露出する初期位置に戻ることができる。また、スライド部７０ｃの先端側には、係合アーム６３の凹部６３ｃよりも剣１０の先端側（図中右側）に、前掲の係止部７３が位置している。
【００３６】
係止部７３は、スライド部７０ｃに対してその厚み方向（剣の左右方向）に移動可能に設けられている。また、係止部７３は、スライド部７０ｃ内に剣１０の左右方向にスライド可能に保持されている。更に、係止部７３は、スライド部７０ｃの裏側（剣１０の左方向）から圧縮ばねＰ６（図８参照）によって押圧されている。したがって、係止部７３は、後述するように、係合アーム６３の凹部６３ｃに係合するときに、その突出高さが弾性力を持って変化可能である。
【００３７】
以下、ブック３０の装着・取り外しのときのボタン操作部材６０及びロック部材７０の動作について、図８〜図１１を参照して説明する。
図８は、ブック３０の装着時におけるボタン操作部材６０及びロック部材７０の動作初段の状態を示す分解斜視図である。図９は、ボタン操作部材６０及びロック部材７０の装着時における動作中段の状態を示す分解斜視図である。図１０は、両部材６０，７０の装着時における動作終段の状態を示す分解斜視図である。また、図１１は、ブック３０の取外し時におけるボタン操作部材６０及びロック部材７０の動作の状態を示す分解側面図である。
【００３８】
ブック３０の装着時において、底面３０ｂｂを第１装着部２２に押し込むようにする。このとき、図８に示すように、ボタン操作部材６０は、ボタン動作突起６１が、底面３０ｂｂに設けられた第３起動ボタン３７に最初に接触し、圧縮ばねＰ４の付勢力に抗して押し込まれる。このボタン動作突起６１の当接によって第３起動ボタン３７が押し込まれブック３０のスイッチングが行われる。ボタン操作部材６０は、ボタン動作突起６１が押されて、支軸部６０ｃを支点にして回動（図において反時計周りの方向に回動）を開始する。なお、このブック３０の押込みの初段状態において、底面３０ｂｂは、その角の一端部３０ｂｅがロック突起７１の先端テーパ面７１ｔに接触する。これによって、ロック部材７０は、圧縮ばねＰ５の付勢力に抗して剣１０の後方側へ移動（図中において左側へ移動）し始める。
【００３９】
引き続いて、ブック３０を更に押し込む。これにより、図９に示すように、底面３０ｂｂと連動突起６２とが接触する。底面３０ｂｂに対して連動突起６２が接触すると、ボタン動作突起６１は、第３起動ボタン３７から離れ始める。要するに、ボタン動作突起６１よりも支軸部６０ｃに近い連動突起６２が押されることで、ボタン動作突起６１は、連動突起６２の移動距離よりも大きく移動して、第３起動ボタン３７から離間する。
【００４０】
ブック３０の押込みによって、係合アーム６３は、その先端部６３ｅがロック部材７０の係止部７３に近づく方向に移動する。一方、ロック部材７０は、ブック３０の一端部３０ｂｅに押されて剣１０の後方にスライド移動し、係止部７３が、図９に示すように、係合アーム６３の先端部６３ｅに接する方向に移動する。ここで、先端部６３ｅには、係止部７３に対面する側に、先端傾斜面６３ｔが設けられており、一方、係止部７３には、先端傾斜面６３ｔに対面する側に傾斜面７３ｔが設けられている。したがって、先端傾斜面６３ｔと傾斜面７３ｔとが、図９に示す状態から更に近づくように移動した時に、両傾斜面６３ｔ，７３ｔ同士が接触して擦れながら、凹部６３ｃ内に係止部７３が嵌まり込む。なお、係止部７３の嵌り込みに際しては、係止部７３は、その突出高さを低くするように弾性移動できるので、嵌り込みは円滑に行われる。
【００４１】
ブック３０の押込みが完了すると、図１０に示すように、ロック突起７１は、その先端面７１ｅがブック３０の一端側面に当接する。これにより、ロック部材７０は、ロック突起７１が側壁面２２ｗから引っ込んだ状態に維持される。また、係止部７３は、凹部６３ｃ内に嵌まり込んだ状態となる。この結果、ボタン操作部材６０は、ボタン動作突起６１が第３起動ボタン３７から離間した状態に維持される。
【００４２】
上記の一連のブック３０の装着動作においては、ブック３０による演出は、第３起動ボタン３７の押圧が短押し（短い時間の押圧）であるので、そのスイッチングに対応する演出が一回のみ行われる。また、ブック３０の装着によって、ラバーコンタクトスイッチ（起動部）１０ｓｉも押される。これにより、剣１０が発光する光演出、更には、剣１０側の音声出力による演出を行う。なお、剣１０による演出は、光演出のみ、音声演出のみであっても良い。
【００４３】
第１装着部２２からブック３０を取り外しのときのボタン操作部材６０及びロック部材７０の動作について説明する。
図１１に示すように、先ず、ブック３０を引き抜く時の初期状態では、ブック３０が上方に移動しても、ロック突起７１の先端面７１ｅがブック３０に当接している間は、ロック部材７０は、圧縮ばねＰ５の付勢力に抗してブック３０が押し込まれた状態のままに維持されている。したがって、ブック３０を取りはず動作の初期状態では、ボタン操作部材６０の戻り動作が制限される。そして、ブック３０が更に引き出されて、ロック突起７１の先端面７１ｅからブック３０が離れると、ロック部材７０は、初期位置の側（図１１において右側）に移動する。これによって、係止部７３と凹部６３ｃとの係合が外れる。この結果、ボタン操作部材６０は、圧縮ばねＰ４の付勢力によって初期位置に戻る。このように、ボタン操作部材６０の戻り動作は、ブック３０が第１装着部２２から所定距離だけ離れてから移動し始めるので、ボタン動作突起６１の戻り動作によって第３起動ボタン３７が押されて不要な演出を行うことはない。
【００４４】
以下、演出出力玩具１の遊び方について簡単に説明する。
ブック３０は、単体としても操作して音声出力をして遊ぶことができるが、演出出力玩具１の遊び方のメインは、剣１０に装着して遊ぶ。その場合、剣１０の電源スイッチを操作後に、ブック３０を装着する。例えば、上記のように、ブック３０を第１装着部２２に装着し、直ぐに抜き取り、その後、第２装着部２３に装着する。
【００４５】
また、ブック３０を第２装着部２３に装着した状態で、操作トリガー１６を操作すると、ブック３０は、ボタン動作部４６，４８により第１起動ボタン３６ｂ及び第２起動ボタン３８ｆが押される。これによって、開閉部３０ａが回動するのと同時に、ブック３０から音声出力がされる。その後、操作トリガー１６を操作することで、最初の音声出力とは異なった音声出力、さらには、発光演出が主玩具体１０によって行うことができる。
【００４６】
以上述べたように、本実施形態の演出出力玩具１によれば、ブック３０を装着する第１装着部２２に出没可能で、ボタン動作突起６１と同方向に連動する連動突起６２は、ボタン動作突起６１よりも突出高さが低く設けられている。これによって、ブック３０を第１装着部２２に装着するときに、装着初期状態ではボタン動作突起６１が第３起動ボタン３７を押圧してブック３０による演出ができる。
【００４７】
また、連動突起６２は、支軸部６０ｃからの距離が、支軸部６０ｃからボタン動作突起６１までの距離よりも小さくなっているので、連動突起６２とブック３０とが当接するとことで、ボタン動作突起６１の移動距離を大きくするので、装着終段状態では、ボタン動作突起６１を第３起動ボタン３７から離間させることができる。この結果、第３起動ボタン３７の短押しによる演出ができ、第３起動ボタン３７の長押しによる別の演出を避けることができる。
【００４８】
また、ブック３０を第１装着部２２から取り外すときには、ボタン動作突起６１は、係合アーム６３が係止部７３にて係止されて戻り移動のタイミングが遅れるように規制されるので、ブック３０の取り外しに際して第３起動ボタン３７が操作されることはない。これにより、ブック３０による演出は、ブック３０を第１装着部２２に装着したときの一回のみの演出とすることができる。この結果、ブック３０による演出を不必要に繰り返すことが無く、ユーザーの意図とは異なる無駄な演出による興趣性の低下を回避でき、操作性の良い興趣性の高い玩具を提供できる。
【００４９】
また、本実施形態の演出出力玩具１では、ボタン動作突起６１と連動突起６２とは、連動アーム６０ａにて一体化され圧縮ばねＰ４によって付勢されているので、ブック３０の取り外しによって第１装着部２２内に突出する初期位置に戻ることができる。
【００５０】
本実施形態の演出出力玩具１では、ロック突起７１を有するロック部材７０は、圧縮ばねＰ５にて初期位置の方向へ付勢されているので、ブック３０の取り外しに連動して移動し、ロック突起７１を第１装着部２２内に突出する初期位置に戻るように動作することができる。
【００５１】
また、本実施形態の演出出力玩具１では、ブック３０の着脱に連動して動作し、ブック３０の装着時において、ロック突起７１によって、ブック３０を幅方向に押すことができるので、ブック着脱の操作感を出すことができる。
【００５２】
また、本実施形態の演出出力玩具１では、主玩具体１０は、ブック３０を装着する第１及び第２装着部２２，２３を備えるので、ブック３０による演出形態をより多くすることができる。
【００５３】
（第２実施形態）
以下、本発明の第２実施形態の主玩具体１０について、図１２〜図１８を参照して説明する。なお、本実施形態においては、第１実施形態と同じ構成要素については、同じ符号を付して説明を省略する。図１２は、第２実施形態の剣１０を下側から見た斜視図である。図１３は、剣１０を左側面方向から見た斜視図である。
本実施形態の剣１０においては、図１２及び図１３に示すように、第１実施形態のものとは、剣１０のタイプが両刃タイプであること、また、第１装着部２２及び第２装着部２３の構成が異なる。なお、第２実施形態にける剣１０は両刃タイプであるの、剣１０の上下については、操作トリガー１６が設けられている側を下側とする。その他の方向の記載については、第１実施形態と同様に記載する。
【００５４】
第２装着部２３は、図１２及び図１３に示すように、剣１０の上部側に設けられ、ブック３０を剣前後方向に向かって平置き（本体部３０ｂを内側）に装着するように構成されている。第２装着部２３に装着されたブック３０は、例えば、操作トリガー１６の最初の操作によって、第１実施形態と同様に第１起動ボタン（第１起動部）３６ｂ及び第２起動ボタン（第２起動部）３８ｆが押圧され、ブック３０による音声出力及びブック３０の開閉部３０ａが剣左方向に開かれる。また、ブック３０の識別情報は、第２装着部２３に装着さたことで読み取られ、操作トリガー１６の操作によって所定の演出ができる。また、本実施形態では、操作トリガー１６の二回目以降の操作では、ブック３０が作動しない構成を備えているが、例えば、ブック３０の着脱によって第２装着部２３に出没可能なロック解除部材４０Ｒにより、操作トリガー１６のロック解除がなされる。
【００５５】
図１４は、剣１０を下側から見た時の底面図であり、図１５は、第１装着部２２の内部構造を示すために剣１０の一部を破断した要部破断側面図である。図１６は、第１装着部２２の内部構造を示す分解斜視図である
図１４に示すように、第１装着部２２は、四方が壁面に囲まれた所定の深さの矩形状に構成されており、ブック３０を剣１０の下部に向かって斜め後方縦長に立てることができる。また、底壁面２２ｂには、底壁面２２ｂから出没可能なボタン動作突起６１及び連動突起６２が設けられている。また、側壁面２２ｗには、剣１０の先端側に向かって突出するロック突起９１が設けられている。
【００５６】
図１５及び図１６に示すように、本実施形態におけるボタン操作部材６０は、第１実施形態と同様に、ボタン動作突起（動作部）６１と連動突起（連動部）６２が支軸部６０ｃを中心に回動可能な連動アーム６０ａに設けられている。しかし、第１実施形態とは異なり、連動アーム６０ａは剣１０の後方に向かって延出されている。すなわち、握り部１２側に設けられた回転軸心Ｃ８を中心に回動可能な支軸部６０ｃから剣先端方向に延びる連動アーム６０ａにボタン動作突起６１と連動突起６２とが設けられている。また、係合アーム６３についても、第１実施形態と異なり、支軸部６０ｃからボタン動作突起６１と同じ方向に延出されている。また、ロック突起（ロック部）９１を備えるロック部材９０は、第１実施形態のように側壁面２２ｗから出没する構成ではなく、後述するように、側壁面２２ｗから突出した状態のままで剣厚み方向にスライド移動する。ロック部材９０は、剣１０の厚み方向において係合アーム６３と重なる位置に設けられている。なお、連動突起６２の突出側とは反対側に設けられたスイッチ押圧部６４は、第１実施形態と同様にラバーコンタクトスイッチ（起動部）１０ｓｉを押圧操作する。
【００５７】
以下、ボタン操作部材６０及びロック部材９０の構成並びに動作について説明する。
図１７は、ボタン操作部材６０及びロック部材９０の動作前の状態を示す分解斜視図である。図１８は、ボタン操作部材６０及びロック部材９０の動作後の状態を示す分解斜視図である。
【００５８】
図１７に示すように、ロック部材９０は、側壁面２２ｗに沿って剣厚み方向にスライド移動可能な胴部９２を有し、胴部９２の側面側（図中において手前側）にロック突起９１が設けられ、胴部９２の先端側（図中において左側）に係止部９３が設けられている。ロック突起９１は、側壁面２２ｗの側面開口２２ｉを貫通して第２装着部２２に突出している。係止部９３は、ロック部材９０を位置規制する収容壁部９８の貫通孔９８ｈを貫通して係合アーム６３に向かって突出している。ロック部材９０は、収容壁部９８との間に設置された付勢部材である圧縮ばねＰ８によって、係合アーム６３から離れる方向（初期位置に戻る方向）に付勢されている。また、ロック突起９１は、ブック３０に設けられた縦溝３０ｇ（図３及び図４参照）に進入できる横断面矩形状に形成され、上端部には、剣１０の幅方向に傾斜する上端傾斜面９１ｔを備えている。
【００５９】
以下、ブック３０を装着・取り外しのときのボタン操作部材６０及びロック部材９０の動作について説明する。
先ず、ブック３０を装着する前の状態においては、図１６及び図１７に示すように、ボタン動作突起６１及び連動突起６２が開口２２ｈを貫通した初期位置にある。また、図１７に示すように、ロック突起９１は、側面開口２２ｉの一端側寄り（図１７において右側寄り）に位置している。
そして、ブック３０の装着時においては、ブック３０の底面３０ｂｂが第１装着部２２に押し込まれる。このとき、第１実施形態と同様に、ボタン操作部材６０は、ボタン動作突起６１が、第３起動ボタン３７に最初に当接し、圧縮ばねＰ７の付勢力に抗して押し込まれブック３０のスイッチングを行う。これと同時に、ボタン操作部材６０は、支軸部６０ｃを支点にして回動を開始する。なお、このブック押込みの初段状態において、ロック突起９１は、その上端傾斜面９１ｔと底面３０ｂｂ（正確には、縦溝３０ｇの一端側の縁部）とが係合し、圧縮ばねＰ８の付勢力に抗して剣厚み方向（図１７において左方向）に押され移動し始める。
【００６０】
引き続きブック３０を押し込むことで、底面３０ｂｂと連動突起６２とが接触し、第１実施形態と同様に、底面３０ｂｂからボタン動作突起６１が離れてブック装着が完了する。ここで、ロック部材９０は、ブック装着の完了状態においては、図１８に示すように、係止部９３が係合アーム６３の後端壁６３ｗの後方側（握り部１２側）突出して係合アーム６３を係止する。この係止のタイミングは、係合アーム６３が係止部９３との当接位置からずれることで行われる。要するに、ロック突起９１が縦溝３０ｇ内に完全に入り込んだ状態、すなわち、ロック突起９１の一端面９１ｅが縦溝３０ｇの内面壁にて押される状態は、ブック装着の終了前に完了しており、胴部９２のスライド移動は完了している。しかし、係止部９３は、係合アーム６３の厚み方向に向いた側面（図中右側の側面）に当接している間は、圧縮ばねＰ９で押圧（図中左方向に押圧）された状態で移動（図中左方向への移動）が制限されている。したがって、ブック３０の挿入に伴って連動アーム６０ａが所定角度回動すると、係合アーム６３が係止部９３の先端面から外れる。この結果、係止部９３は、係合アーム６３の後端壁６３ｗに後側に突出してボタン操作部材６０をロックする。
【００６１】
本実施形態においても、ブック３０を取り外すときは、ブック３０の引き出し途中まで、ロック突起９１の一端面９１ｅと縦溝３０ｇとの係合が維持されることから、第１実施形態と同様に、連動アーム６０ａの戻りの開始タイミングを遅らせることができる。これにより、ボタン動作突起６１による第３起動ボタン３７への干渉を回避することができる。
【００６２】
本実施形態においては、第１実施形態と同様な効果を奏することができる。また、本実施形態においては、ブック３０の着脱に際しては、ロック突起９１によってブック３０を厚み方向に押すことも可能である。したがって、ブック着脱において操作感を出すことができる。また、本実施形態においては、係合アーム６３が支軸部６０ｃから延出される構成であり、更に、ロック部材９０がボタン操作部材６０の回動方向に交差する方向の移動でボタン操作部材６０を係止する構成としたので、ロック部材９０の構成をコンパクトにできる。
【００６３】
以上、本発明の第１及び第２実施形態について説明したが、本発明はその技術思想の範囲で適宜変更することができる。例えば、ボタン操作部材６０，ロック部材７０，９０の形状につては図示のものに何ら制限されるものではなく適宜変更することができる。
【００６４】
また、上記実施形態においては、ブック３０の第１装着部２２への装着は、ブック３０を手で持った状態で挿入して音声出力をした後に、多くの場合、そのまま抜く操作であるために、着脱操作がし易いように特に係止手段によるブック保持構造は必要ない。しかし、前掲の如く、ロック突起７１，９１との摩擦や他の部分との摩擦係合により保持する構成としても良く、他の保持機構を別途設ける構造であっても良い。
【００６５】
また、上記実施形態においては、ブック３０を剣１０に装着する構成としたが、本発明はこれに限るものではない。例えば、ユーザーが腰に巻きるけるベルトのバックル部分に第１装着部２２、更には第２装着部２３を設けた構成であっても良い。また、この場合、バックル部分にブック３０の識別情報の読取り部を設け、その他、操作トリガー１６に相当する操作部を設ける構成とすることもできる。
【符号の説明】
【００６６】
１            演出出力玩具
１０          剣（主玩具体）
２２          第１装着部（装着部）
２３          第２装着部（別の装着部）
３０          ブック（副玩具体）
３７          第３起動ボタン（起動ボタン）
６０ａ        連動アーム
６０ｃ        支軸部
６１          ボタン動作突起
６２          連動突起
７１，９１    ロック突起
７３，９３    係止部
Ｐ４，Ｐ５，Ｐ７，Ｐ８    圧縮ばね（付勢部材）
【要約】
【課題】演出制御の正確性に優れ興趣性の高い演出出力玩具を提供する。
【解決手段】演出を起動する起動ボタン３７を備える副玩具体３０と、副玩具体３０の着脱が可能な主玩具体１０と、を備え、主玩具体１０は、副玩具体３０の装着部２２に対して出没可能に構成された、起動ボタン３７を押圧し動作させるためのボタン動作突起６１と、ボタン動作突起６１よりも突出高さが低く設けられ且つ装着部２２に対して出没可能に構成された連動突起６２と、を含み、連動突起６２とボタン動作突起６１は、連動突起６２の装着部２２からの退避と連動して、ボタン動作突起６１が装着部２２から退避するよう構成されている、演出出力玩具１。
【選択図】図６【図１】
0006964171.tif 000002
【図２】
0006964171.tif 000003
【図３】
0006964171.tif 000004
【図４】
0006964171.tif 000005
【図５】
0006964171.tif 000006
【図６】
0006964171.tif 000007
【図７】
0006964171.tif 000008
【図８】
0006964171.tif 000009
【図９】
0006964171.tif 000010
【図１０】
0006964171.tif 000011
【図１１】
0006964171.tif 000012
【図１２】
0006964171.tif 000013
【図１３】
0006964171.tif 000014
【図１４】
0006964171.tif 000015
【図１５】
0006964171.tif 000016
【図１６】
0006964171.tif 000017
【図１７】
0006964171.tif 000018
【図１８】
0006964171.tif 000019